(57)【要約】【課題】セル識別子の競合の検出を支援する。【解決手段】制御装置（１）は、共に第２の周波数（Ｆ２）を使用する第１及び第２のセル（Ｃｅｌｌ＃２、＃３）の間のセル識別子（ＰＣＩ）の競合を少なくとも第１の品質値に基づいて判定する。当該第１の品質値は、無線局（１）から無線端末（３）に送信される設定情報（ＣＳＩ−ＲＳ ｃｏｎｆｉｇｕｒａｔｉｏｎ）に従って、第２の周波数（Ｆ２）において無線端末（３）により測定された受信信号品質に関する。当該設定情報は、第１のセル（Ｃｅｌｌ＃２）からの第１の参照信号（ＣＳＩ−ＲＳ）の送信に使用される無線リソースを示す。【選択図】図２
2016103691.tif 000002
【特許請求の範囲】
【請求項１】
メモリと、
前記メモリに結合されるとともに、共に第２の周波数を使用する第１及び第２のセルの間のセル識別子の競合を少なくとも第１の品質値に基づいて判定するよう動作する少なくとも１つのプロセッサと、
を備え、
前記第１のセルは、第１の周波数のサービングセルにおいて無線端末と通信する無線局又は前記無線局と同一のオペレータによって前記第２の周波数において運用されるセルであり、
前記第２のセルは、前記無線端末によって前記第２の周波数において検出されるセルであり、
前記第１の品質値は、前記無線局から前記無線端末に送信される設定情報に従って、前記第２の周波数において前記無線端末によって測定された受信信号品質に関し、
前記設定情報は、前記第１のセルからの第１の参照信号の送信に使用される無線リソースを示す、
制御装置。
【請求項２】
前記無線局は、
前記セル識別子に基づいて定まる無線リソースを用いて送信される第２の参照信号に基づいて前記セル識別子を持つセルを前記第２の周波数において検出したことを前記無線端末から報告された場合に、前記設定情報を前記無線端末に送信し、
前記設定情報の送信に応答して前記無線端末から報告される前記第１の品質値を受信する、
よう動作する、
請求項１に記載の制御装置。
【請求項３】
前記無線局は、前記第２の参照信号の前記無線端末における受信品質を示す第２の品質値が所定値以上であることを条件として、前記設定情報を前記無線端末に送信するよう動作する、
請求項２に記載の制御装置。
【請求項４】
前記第１の品質値は、前記セル識別子に基づいて定まる無線リソースを用いて送信される第２の参照信号の前記無線端末における受信品質を表す第２の品質値が所定値以上である場合に、前記無線端末から報告される、
請求項１に記載の制御装置。
【請求項５】
前記少なくとも１つのプロセッサは、前記第１の品質値及び第２の品質値、又は前記第１及び第２の品質値を用いて計算された第３の品質値を用いて前記競合を判定するよう動作し、
前記第２の品質値は、前記セル識別子に基づいて定まる無線リソースを用いて前記セル識別子を持つセルから送信される第２の参照信号の前記無線端末における受信信号品質に関する、
請求項１に記載の制御装置。
【請求項６】
前記第３の品質値は、前記第１及び第２の品質値の差又は比を示す、
請求項５に記載の制御装置。
【請求項７】
前記第３の品質値は、前記第１及び第２の品質値の間の相関を示す、
請求項５に記載の制御装置。
【請求項８】
前記少なくとも１つのプロセッサは、前記第１の品質値と前記第２の品質値との差又は比が所定の閾値を超える場合に、前記競合の発生を判定する、
請求項５に記載の制御装置。
【請求項９】
記少なくとも１つのプロセッサは、前記第１の品質値と前記第２の品質値との間の相関の強さが所定の閾値を下回る場合に、前記競合の発生を判定する、
請求項５に記載の制御装置。
【請求項１０】
前記第１の参照信号の送信に利用される前記無線リソースは、前記無線端末において既知ではなく、前記設定情報を用いて前記無線端末に個別に設定され、
前記第２の参照信号の送信に利用される前記無線リソースは、前記無線端末において既知である、
請求項２〜９のいずれか１項に記載の制御装置。
【請求項１１】
前記第１の参照信号は、Channel State Information Reference Signal（CSI-RS）である、
請求項１〜１０のいずれか１項に記載の制御装置。
【請求項１２】
前記第２の参照信号は、Cell-specific Reference Signal（CRS）である、
請求項２〜１０のいずれか１項に記載の制御装置。
【請求項１３】
前記第１の品質値は、Reference Signal Received Power（RSRP）、又は前記RSRPを用いて計算される品質指標を含む、
請求項１〜１２のいずれか１項に記載の制御装置。
【請求項１４】
前記第１の品質値は、Reference Signal Received Power（RSRP）、Reference Signal Received Quality（RSRQ）、Signal to Interference plus Noise Ratio（SINR）、Channel Quality Indicator（CQI）、Rank Indicator（RI）、及びPrecoding Matrix Indicator（PMI）のうち少なくとも１つを含む、
請求項１〜１３のいずれか１項１２に記載の制御装置。
【請求項１５】
前記第２の品質値は、Reference Signal Received Power（RSRP）、Reference Signal Received Quality（RSRQ）、及びSignal to Interference Ratio（SIR）のうち少なくとも１つを含む、
請求項３〜９のいずれか１項に記載の制御装置。
【請求項１６】
前記少なくとも１つのプロセッサは、前記第２のセルが前記第１のセルと同一であるか否かを判定することによって、前記競合を判定する、
請求項１〜１５のいずれか１項に記載の制御装置。
【請求項１７】
前記少なくとも１つのプロセッサは、前記第２のセルが前記無線局または前記オペレータによって提供されるセルであるか否かを判定することによって、前記競合を判定する、
請求項１〜１５のいずれか１項に記載の制御装置。
【請求項１８】
前記設定情報は、前記無線端末と前記無線局の間のRadio Resource Control（RRC）シグナリングを用いて送信される、
請求項１〜１７のいずれか１項に記載の制御装置。
【請求項１９】
前記制御装置は、前記無線局、前記無線端末、又はOperation, Administration and Maintenance (OAM) システムに配置される、
請求項１〜１８のいずれか１項に記載の制御装置。
【請求項２０】
共に第２の周波数を使用する第１及び第２のセルの間のセル識別子の競合を少なくとも第１の品質値に基づいて判定することを備え、
前記第１のセルは、第１の周波数のサービングセルにおいて無線端末と通信する無線局又は前記無線局と同一のオペレータによって前記第２の周波数において運用されるセルであり、
前記第２のセルは、前記無線端末によって前記第２の周波数において検出されるセルであり、
前記第１の品質値は、前記無線局から前記無線端末に送信される設定情報に従って、前記第２の周波数において前記無線端末によって測定された受信信号品質に関し、
前記設定情報は、前記第１のセルからの第１の参照信号の送信に使用される無線リソースを示す、
セル識別子の競合を判定するための方法。
【請求項２１】
前記セル識別子に基づいて定まる無線リソースを用いて送信される第２の参照信号に基づいて前記セル識別子を持つセルを前記第２の周波数において検出したことを前記無線端末から報告された場合に、前記設定情報を前記無線端末に送信すること、及び
前記設定情報の送信に応答して前記無線端末から報告される前記第１の品質値を受信すること、
をさらに備える請求項２０に記載の方法。
【請求項２２】
前記送信することは、前記第２の参照信号の前記無線端末における受信品質を示す第２の品質値が所定値以上であることを条件として、前記設定情報を前記無線端末に送信することを含む、
請求項２１に記載の方法。
【請求項２３】
前記第１の品質値は、前記セル識別子に基づいて定まる無線リソースを用いて送信される第２の参照信号の前記無線端末における受信品質を表す第２の品質値が所定値以上である場合に、前記無線端末から報告される、
請求項２０に記載の方法。
【請求項２４】
前記判定することは、前記第１の品質値及び第２の品質値、又は前記第１及び第２の品質値を用いて計算された第３の品質値を用いて前記競合を判定することを含み、
前記第２の品質値は、前記セル識別子に基づいて定まる無線リソースを用いて前記セル識別子を持つセルから送信される第２の参照信号の前記無線端末における受信信号品質に関する、
請求項２０に記載の方法。
【請求項２５】
前記第３の品質値は、前記第１及び第２の品質値の差又は比を示す、
請求項２４に記載の方法。
【請求項２６】
前記第３の品質値は、前記第１及び第２の品質値の間の相関を示す、
請求項２４に記載の方法。
【請求項２７】
前記判定することは、前記第１の品質値と前記第２の品質値との差又は比が所定の閾値を超える場合に、前記競合の発生を判定することを含む、
請求項２４に記載の方法。
【請求項２８】
前記判定することは、前記第１の品質値と前記第２の品質値との間の相関の強さが所定の閾値を下回る場合に、前記競合の発生を判定することを含む、
請求項２４に記載の方法。
【請求項２９】
前記第１の参照信号の送信に利用される前記無線リソースは、前記無線端末において既知ではなく、前記設定情報を用いて前記無線端末に個別に設定され、
前記第２の参照信号の送信に利用される前記無線リソースは、前記無線端末において既知である、
請求項２１〜２８のいずれか１項に記載の方法。
【請求項３０】
前記第１の参照信号は、Channel State Information Reference Signal（CSI-RS）である、
請求項２０〜２９のいずれか１項に記載の方法。
【請求項３１】
前記第２の参照信号は、Cell-specific Reference Signal（CRS）である、
請求項２１〜２９のいずれか１項に記載の方法。
【請求項３２】
前記第１の品質値は、Reference Signal Received Power（RSRP）、又は前記RSRPを用いて計算される品質指標を含む、
請求項２０〜３１のいずれか１項に記載の方法。
【請求項３３】
請求項２０〜３２のいずれか１項に記載の方法をコンピュータに行わせるためのプログラム。
【請求項３４】
無線ネットワークシステムであって、
第１の周波数を使用するサービングセルにおいて無線端末と通信するよう構成された無線局と、
制御装置と、
を備え、
前記無線局は、さらに、
特定のセル識別子を持つセルを第２の参照信号に基づいて第２の周波数において検出したことを前記無線端末から報告された場合に、第１の参照信号の送信に使用される無線リソースを示す設定情報を前記サービングセルにおいて前記無線端末に送信し、
前記設定情報の送信に応答して前記無線端末から報告される第１の品質値を受信する、
よう構成され、
前記第１の参照信号は、前記無線ネットワークシステムにより第２の周波数において運用され且つ前記セル識別子を使用する第１のセルから送信され、
前記第２の参照信号は、前記セル識別子に基づいて定まる無線リソースを用いて前記セル識別子を持つセルから送信され、
前記第１の品質値は、前記設定情報に従って前記第２の周波数において前記無線端末によって測定された受信信号品質に関し、
前記制御装置は、前記セル識別子の競合を少なくとも前記第１の品質値に基づいて判定するよう構成されている、無線ネットワークシステム。
【請求項３５】
前記無線局は、前記第２の参照信号の前記無線端末における受信品質を示す第２の品質値が所定値以上であることを条件として、前記設定情報を前記無線端末に送信するよう動作する、
請求項３４に記載の無線ネットワークシステム。
【請求項３６】
前記制御装置は、前記第１の品質値及び第２の品質値、又は前記第１及び第２の品質値を用いて計算された第３の品質値を用いて前記競合を判定するよう動作し、
前記第２の品質値は、前記セル識別子に基づいて定まる無線リソースを用いて前記セル識別子を持つセルから送信される第２の参照信号の前記無線端末における受信信号品質に関する、
請求項３４に記載の無線ネットワークシステム。
【請求項３７】
前記第１の参照信号は、Channel State Information Reference Signal（CSI-RS）であり、
前記第２の参照信号は、Cell-specific Reference Signal（CRS）である、
請求項３４〜３６のいずれか１項に記載の無線ネットワークシステム。
【請求項３８】
前記第１の品質値は、Reference Signal Received Power（RSRP）、又は前記RSRPを用いて計算される品質指標を含む、
請求項３４〜３７のいずれか１項に記載の無線ネットワークシステム。
【請求項３９】
前記第１の品質値は、Reference Signal Received Power（RSRP）、Reference Signal Received Quality（RSRQ）、Signal to Interference Ratio（SIR）、Channel Quality Indicator（CQI）、Rank Indicator（RI）、及びPrecoding Matrix Indicator（PMI）のうち少なくとも１つを含む、
請求項３４〜３８のいずれか１項に記載の無線ネットワークシステム。
【請求項４０】
前記第２の品質値は、Reference Signal Received Power（RSRP）、Reference Signal Received Quality（RSRQ）、及びSignal to Interference Ratio（SIR）のうち少なくとも１つを含む、
請求項３５又は３６に記載の無線ネットワークシステム。
【請求項４１】
前記無線局は、前記無線端末と前記無線局の間のRadio Resource Control（RRC）シグナリングを用いて前記設定情報を送信する、
請求項３４〜４０のいずれか１項に記載の無線ネットワークシステム。
【請求項４２】
無線ネットワークシステムにより行われる方法であって、
無線局によって、第１の周波数を使用するサービングセルにおいて無線端末と通信すること、
前記無線局によって、特定のセル識別子を持つセルを第２の参照信号に基づいて第２の周波数において検出したことを示す報告を前記無線端末から受信すること、ここで、前記第２の参照信号は、前記セル識別子に基づいて定まる無線リソースを用いて前記セル識別子を持つセルから送信される、
前記無線局によって、前記報告に応答して、第１の参照信号の送信に使用される無線リソースを示す設定情報を前記サービングセルにおいて前記無線端末に送信すること、ここで、前記第１の参照信号は、前記無線ネットワークシステムにより第２の周波数において運用され且つ前記セル識別子を使用する第１のセルから送信される、
前記無線局によって、前記設定情報の送信に応答して前記無線端末から報告される第１の品質値を受信すること、及び
制御装置によって、前記セル識別子の競合を少なくとも前記第１の品質値に基づいて判定すること、
を備える、方法。
【発明の詳細な説明】
【技術分野】
【０００１】
本出願は、無線通信システムに関し、特に、セル識別子の競合（conflict）の検出に関する。
【背景技術】
【０００２】
以下では、3rd Generation Partnership Project (3GPP) Release 8（Long Term Evolution (LTE)と呼ばれる）及びそれ以降で用いられる無線フレーム（radio frame）構造について説明し、次に、3GPP Release 10（LTE-Advancedと呼ばれる）で導入されたキャリアアグリゲーション（carrier aggregation (CA)）について説明する。さらに、3GPP Release 13に関して現在議論されているLicensed Assisted Access (LAA)、及び関連するLicensed Shared Access (LSA)について説明する。
【０００３】
始めに、図１２及び図１３を参照してLTEの時間−周波数リソース（無線リソース）について説明する。図１２は、LTEの無線フレーム構造を示している。3GPP Release 8及びそれ以降では、２種類の無線フレーム構造が用意されている。一方は、frame structure type 1と呼ばれ、frequency division duplex (FDD) に適用できる。他方は、frame structure type 2と呼ばれ、Time division duplex (TDD) に適用できる。図１２に示されている通り、type 1及びtype 2のいずれのフレーム構造においても、１つの無線フレームの長さは１０ミリ秒であり、１つの無線フレームは１０個のサブフレーム（subframe）から構成されている。なお、TDDの場合、前半の５つのサブフレーム（＃０〜＃４）と、後半の５つのサブフレーム（＃５〜＃９）をそれぞれハーフ・フレームと呼ぶ。ハーフ・フレームの長さは５ミリ秒である。１つのサブフレームの長さは、１ミリ秒である。さらに１つのサブフレームは、各々が０．５ミリ秒の２つのスロットに分解される。
【０００４】
図１３は、LTEのダウンリンク・時間−周波数リソースの詳細を示している。１つのダウンリンク・スロット（０．５ミリ秒）は、時間ドメインにおいてNDLSYMB個のOFDMシンボルを含む。時間ドメインにおける１OFDMシンボル及び周波数ドメインにおける１サブキャリアによって規定される無線リソースは、「リソースエレメント」と呼ばれる。リソースエレメントは、ODFM（Orthogonal Frequency Division Multiplexing）を採用するLTEのダウンリンクにおける無線リソースの最小単位である。時間ドメインにおいて連続するNDLSYMB個のOFDMシンボルと周波数ドメインにおいて連続するNRBSC個のサブキャリアによって規定されるリソース単位は、「リソースブロック」と呼ばれる。Normal cyclic prefixの場合、NDLSYMBの値は７であり、NRBSCの値は１２であり、したがって、１つのリソースブロックは、８４リソースエレメントからなる。占有帯域幅（NDLRBリソースブロック、又はNDLRB NRBSCサブキャリア）は、ダウンリンクのチャネル帯域（channel bandwidth (BWChannel)）に依存する。例えば、チャネル帯域が1.4 MHzである場合にリソースブロックの最大数（NDLRB）は６であり、チャネル帯域が20 MHzである場合にリソースブロック（NDLRB）の最大数は１００である。
【０００５】
さらに、3GPP Release 10では、無線基地局（eNode B: eNB）と無線端末（User Equipment: UE）が複数のセルを使用して通信を行うキャリアアグリゲーション（Carrier Aggregation: CA）機能の仕様化が行われた。なお、UEがCAで使用可能なセルは、１つのeNBの複数のセル（つまり、eNBによって運用または管理される複数セル）に限定される。CAにおいてUEが使用するセルは、CAを開始する時点で既にサービングセルとして使用されているプライマリセル（Primary cell: PCell）と、追加的に又は従属的に使用されるセカンダリセル（Secondary cell: SCell）に分類される。PCellでは、無線接続の（再）確立（Radio Resource Control (RRC) Connection Establishment, RRC Connection Re-establishment）の際に、Non Access Stratum（NAS）モビリティ情報（NAS mobility information）及びセキュリティ情報（security input）が送受信される（非特許文献１のセクション7.5を参照）。
【０００６】
CAの導入により機能的には高速通信の実現が可能になったが、実運用においては各オペレータに割り当てられた周波数の制限（不足）により、今後の更なるモバイルトラフィックの増加に対しては懸念が残るのが現状である。そこで、3GPP標準化では、非ライセンス周波数（Unlicensed frequency band、Unlicensed spectrum）を利用してLTEを実行するUnlicensed LTE（LTE-UまたはU-LTEとも呼ばれる。以降ではLTE-Uと記載する）の議論が開始されている（非特許文献２、３）。
【０００７】
LTE-Uの実現方式としては、ライセンス周波数と連動して（例えばCAのSCellとして）、非ライセンス周波数でeNBがUEと通信を行うLicensed Assisted Access (LAA)と、非ライセンス周波数のみでUEと通信を行うStandalone (SA)の２通りの方法が考えられている。ここで、非ライセンス周波数としては、例えば5GHz帯が想定されており、当該5GHz帯は、他にもレーダーシステム及び無線LAN(Wireless LAN: WLAN。WiFiとも呼ばれる)にも使用される周波数である。そのため、非ライセンス周波数のみで通信を行うSA方式は、LTEで規定される細やかな制御の実現可能性に懸念があり、実現可能性が比較的高いLAA方式（LA-LTEとも呼ばれる）が検討の中心とされている。以降では、ライセンス周波数と非ライセンス周波数でCAを行うLAA方式によるLTE-Uに注目して説明する。尚、ライセンス周波数とは、特定のオペレータに割り当てられた専用周波数を指す。また、非ラインセンス周波数とは、特定のオペレータに割り当てられていない周波数、あるいは複数のオペレータに割り当てられた共用周波数を指す。後者の場合、当該周波数は非ライセンス周波数と呼ばれる代わりに、ライセンス共有周波数とも呼ばれることがあり、当該周波数を使用した通信はLicensed Shared Access (LSA)とも呼ばれる。以降では、特定のオペレータのみにライセンスされたライセンス周波数以外のこれらの周波数を総称して非ライセンス周波数と呼ぶ。
【０００８】
LAA方式によるLTE-Uは、基本的に図１４に示すシーケンスに従って実行される。ここでは、eNBがライセンス周波数のCell #1と非ライセンス周波数のCell #2において、UE #1との間でデータ送信（又は受信）を行う場合を想定する。まず、Cell #1においてeNBとUE #1の間で無線接続が確立され（RRC Connection Establishment, 1401）、更にコアネットワーク（Evolved Packet Core: EPC）とUE #1の間でベアラが確立される（不図示）。つまり、Cell #1がUE #1のPCellとなる。eNBは、UE #1へ送信すべきダウンリンク（DL）・ユーザデータ（User Plane (UP)データとも呼ぶ）がある場合、又はUE #1が送信したいアップリンク（UL）・ユーザデータがある場合、当該ユーザデータをCell #1において送受信する（DL (or UL) UP data transmission, 1402）。
【０００９】
次に、eNBは、ある時点でUE #1がCell # 2においてユーザデータを送受信することが有効であると判定した場合（Trigger LTE-U for UE #1, 1403）、Cell #1においてCell #2の無線リソース設定に関する制御情報をUE #1に送信する（Radio Resource Configuration for Cell #2, 1404）。当該制御情報は、LTEにおけるRRC Connection Reconfiguration messageにて送信されるRadioResourceConfigDedicated Information Element (IE)及びRadioResourceConfigCommon IEに相当する（非特許文献４）。このとき、Cell #2がUE #1のSCellとなる。下りリンクでユーザデータを送信する場合、eNBは、Cell #2においてセンシングを行い、当該Cell #2が使用可能であるかを判定する（Perform channel sensing, 1405）。eNBは、Cell #2が使用可能であると判定した場合、UE #1との間でユーザデータを送受信する（DL (or UL) UP data transmission, 1406）。このように、非ライセンス周波数を利用することで更なるスループットの改善、或いはセル容量の増加が期待できる。
【００１０】
尚、上述のセンシングは、Listen Before Talk (LBT)とも呼ばれ（非特許文献２）、対象の非ライセンス周波数にて、他のオペレータによるLTE-U又は他の無線システム（e.g. WLAN）による通信が近隣で行われているか否かを判定するもので、レーダーシステムに対するChannel Availability Check (CAC)、及びWLANでAccess Point (AP)において実行されるClear Channel Assessment (CCA)などに相当する（特許文献１）。
【先行技術文献】
【非特許文献】
【００１１】
【非特許文献１】3GPP TS 36.300 V12.2.0 (2014-06), “3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 12)”, 2014年6月
【非特許文献２】3GPP RP-131635, “Introducing LTE in Unlicensed Spectrum”, Qualcomm, Ericsson, 2013年12月
【非特許文献３】3GPP workshop on LTE in unlicensed spectrum, RWS-140002, “LTE in Unlicensed Spectrum: European Regulation and Co-existence Considerations”, Nokia, 2014年6月
【非特許文献４】3GPP TS 36.331 V12.2.0 (2014-06), “3rd Generation Partnership Project; Technical Specification Group Radio Access Network; Evolved Universal Terrestrial Radio Access (E-UTRA); Radio Resource Control (RRC); Protocol specification (Release 12)”, 2014年6月
【非特許文献５】3GPP TR 36.842 V12.0.0 (2013-12), “3rd Generation Partnership Project; Technical Specification Group Radio Access Network; Study on Small Cell enhancements for E-UTRA and E-UTRAN; Higher layer aspects (Release 12)”, 2013年12月
【発明の概要】
【発明が解決しようとする課題】
【００１２】
LAAでは、非ライセンス周波数のセルにおいてもPrimary Synchronization Signal (PSS)及びSecondary Synchronization Signal (SSS)が送信される必要がある。UEは、非ライセンス周波数のセルで送信されるPSS及びSSSを検出することによって、非ライセンス周波数のセルに同期することができ（つまり、10ms無線フレーム境界の位置を検出することができ）、非ライセンス周波数のセルのPhysical Cell Identity (PCI)を検出することができる。
【００１３】
しかしながら、LAAでは、異なるオペレータによって運用される２つの非ライセンス周波数のセルが同じPCIを使用することに起因してPCIの競合（conflict）が起こる可能性がある。PCIの競合（conflict）は、PCI collision及びPCI confusionを含む。PCI collisionは、近接する（例えば互いに隣接する）２つのセルが同じPCIを使用することを意味し、PCI confusionは、あるセルの周辺に同じPCIを持つ２つのセルがある（例えば当該セルにそれぞれ隣接するセルを有する）ことを意味する。
【００１４】
例えば、図１５に示すように、UE９３は、自身が帰属するオペレータ（オペレータA）のeNB９１によって提供されるセル（Cell #2）と同じPCI（PCI#5）を持つ他のオペレータ（オペレータB）のセル（Cell #3）を誤って検出し、operator BのCell #3に対して端末測定（i.e., Reference Signal Received Power (RSRP)及びReference Signal Received Quality (RSRQ)の測定）を行い、Cell #3の測定結果をCell #2に関する端末測定結果としてeNB９１にサービングセル（cell#1）において誤って報告するかもしれない。そして、eNB９１は、当該端末測定結果に基づいて、CAを開始するために当該UE９３にCell #2を設定してしまうかもしれない。そうすると、UE９３は、Cell #2において十分な通信品質を得ることができない可能性がある。
【００１５】
なお、仮に複数のセルの間でPCIの競合（conflict）が起きていても、UE及びeNBは、Evolved Universal Terrestrial Radio Access Network (E-UTRAN) Cell Global ID (ECGI)を検出することでこれらのセルを区別（distinguish、differentiate、又はdiscriminate）できるかもしれない。ECGIは、E-UTRANセルをグローバルに一意に特定するための識別子である。しかしながら、LAAでキャリアアグリゲーションのセカンダリセルとして使用される非ライセンス周波数のセルは、ECGIを包含するSystem Information Block type 1 (SIB1)を送信しないかもしれない。よって、LAA（又LSA）において非ライセンス周波数（又はライセンス共用周波数）のセルがキャリアアグリゲーションのセカンダリセル（SCell）として使用される場合、UEはECGIに基づいて当該セルを他のセルと区別することが困難であるかもしれない。
【００１６】
なお、PCIの競合（conflict）は、上述したような複数のLTEオペレータが非ライセンス周波数（またはライセンス共用周波数）をLAA（またはLSA）のために使用する状況（situations）だけでなく様々な状況で発生し得る。PCIの競合（conflict）、つまりPCI collision又はPCI confusionは、非ライセンス周波数、ライセンス共用周波数、及びライセンス周波数のいずれが使用される場合にも発生する可能性があり、複数オペレータ間及び１つのオペレータ内のいずれでも発生する可能性がある。さらに、PCI confusionは、複数のセルが異なる周波数を使用するが、これらが同一のPCIを使用している場合にも発生する可能性がある。またさらに、PCIは、セル識別子（物理的な識別子）の一例である。LTE以外の無線通信システムでは、PCIとは異なる他のセル識別子が使用されるが（例えば、3GPP Universal Mobile Telecommunications System（UMTS）で使用されるPrimary Scrambling Code (PSC)）、PCIの競合（conflict）と同様にこれら他のセル識別子の競合も発生し得る。
【００１７】
従って、本明細書に開示される実施形態が達成しようとする目的の１つは、セル識別子の競合（conflict）の検出を支援するための装置、方法、及びプログラムを提供することである。
【課題を解決するための手段】
【００１８】
第１の態様では、制御装置は、メモリと、前記メモリに結合された少なくとも１つのプロセッサを含む。前記少なくとも１つのプロセッサは、共に第２の周波数を使用する第１及び第２のセルの間のセル識別子の競合を少なくとも第１の品質値に基づいて判定するよう動作する。ここで、前記第１のセルは、第１の周波数のサービングセルにおいて無線端末と通信する無線局又は前記無線局と同一のオペレータによって前記第２の周波数において運用されるセルである。前記第２のセルは、前記無線端末によって前記第２の周波数において検出されるセルである。前記第１の品質値は、前記無線局から前記無線端末に送信される設定情報に従って、前記第２の周波数において前記無線端末によって測定された受信信号品質に関する。前記設定情報は、前記第１のセルからの第１の参照信号の送信に使用される無線リソースを示す。
【００１９】
第２の態様では、セル識別子の競合を判定するための方法は、共に第２の周波数を使用する第１及び第２のセルの間のセル識別子の競合を少なくとも第１の品質値に基づいて判定することを含む。ここで、前記第１のセルは、第１の周波数のサービングセルにおいて無線端末と通信する無線局又は前記無線局と同一のオペレータによって前記第２の周波数において運用されるセルである。前記第２のセルは、前記無線端末によって前記第２の周波数において検出されるセルである。前記第１の品質値は、前記無線局から前記無線端末に送信される設定情報に従って、前記第２の周波数において前記無線端末によって測定された受信信号品質に関する。前記設定情報は、前記第１のセルからの第１の参照信号の送信に使用される無線リソースを示す。
【００２０】
第３の態様では、プログラムは、コンピュータに読み込まれた場合に、上述の第２の態様に係る方法をコンピュータに行わせるための命令群（ソフトウェアコード）を含む。
【００２１】
第４の態様では、無線ネットワークシステムは、無線局および制御装置を含む。前記無線局は、第１の周波数を使用するサービングセルにおいて無線端末と通信するよう構成されている。前記無線局は、さらに、特定のセル識別子を持つセルを第２の参照信号に基づいて第２の周波数において検出したことを前記無線端末から報告された場合に、第１の参照信号の送信に使用される無線リソースを示す設定情報を前記サービングセルにおいて前記無線端末に送信し、前記設定情報の送信に応答して前記無線端末から報告される第１の品質値を受信するよう構成されている。ここで、前記第１の参照信号は、前記無線ネットワークシステムにより第２の周波数において運用され且つ前記セル識別子を使用する第１のセルから送信される。前記第１の品質値は、前記設定情報に従って前記第２の周波数において前記無線端末によって測定された受信信号品質に関する。前記制御装置は、前記セル識別子の競合を少なくとも前記第１の品質値に基づいて判定するよう構成されている。
【００２２】
第５の態様では、無線ネットワークシステムにより行われる方法は、
（ａ）無線局によって、第１の周波数を使用するサービングセルにおいて無線端末と通信すること；
（ｂ）前記無線局によって、特定のセル識別子を持つセルを第２の参照信号に基づいて第２の周波数において検出したことを示す報告を前記無線端末から受信すること、ここで、前記第２の参照信号は、前記セル識別子に基づいて定まる無線リソースを用いて前記セル識別子を持つセルから送信される；
（ｃ）前記無線局によって、前記報告に応答して、第１の参照信号の送信に使用される無線リソースを示す設定情報を前記サービングセルにおいて前記無線端末に送信すること、ここで、前記第１の参照信号は、前記無線ネットワークシステムにより第２の周波数において運用され且つ前記セル識別子を使用する第１のセルから送信される；
（ｄ）前記無線局によって、前記設定情報の送信に応答して前記無線端末から報告される第１の品質値を受信すること；及び
（ｅ）制御装置によって、前記セル識別子の競合を少なくとも前記第１の品質値に基づいて判定すること、
を含む。
【発明の効果】
【００２３】
上述の態様によれば、セル識別子の競合（conflict）の検出を支援するための装置、方法、及びプログラムを提供できる。
【図面の簡単な説明】
【００２４】
【図１Ａ】いくつかの実施形態に係る無線通信システムの構成例を示す図である。
【図１Ｂ】いくつかの実施形態に係る無線通信システムの構成例を示す図である。
【図２】いくつかの実施形態に係る無線通信システムの構成例を示す図である。
【図３】Cell-specific Reference Signal（CRS）のリソースエレメントへのマッピングの一例を示す図である。
【図４】Channel State Information Reference Signal（CSI-RS）のリソースエレメントへのマッピングの一例を示す図である。
【図５】第１の実施形態に係る無線端末の動作の一例を示すフローチャートである。
【図６】第１の実施形態に係る無線基地局の動作の一例を示すフローチャートである。
【図７】第２の実施形態に係る無線基地局の動作の一例を示すフローチャートである。
【図８】第２の実施形態に係る無線端末の動作の一例を示すフローチャートである。
【図９】第３の実施形態に係る無線基地局の動作の一例を示すフローチャートである。
【図１０】いくつかの実施形態に係る無線基地局の構成例を示すブロック図である。
【図１１】いくつかの実施形態に係る無線端末の構成例を示すブロック図である。
【図１２】LTEの無線フレーム構造及びサブフレーム構造を示す図である。
【図１３】LTEのダウンリンク・時間−周波数リソースの詳細構造を示す図である。
【図１４】LTE-Uでの無線基地局及び無線端末の動作の一例を示すシーケンス図である。
【図１５】複数のセルがPCIを使用する状況におけるUEの動作の一例を説明するための図である。
【発明を実施するための形態】
【００２５】
以下では、具体的な実施形態について、図面を参照しながら詳細に説明する。各図面において、同一又は対応する要素には同一の符号が付されており、説明の明確化のため、必要に応じて重複説明は省略される。
【００２６】
以下に示される複数の実施形態は、LTE及びSAE（System Architecture Evolution）を収容するEvolved Packet System（EPS）を主な対象として説明される。しかしながら、これらの実施形態は、EPSに限定されるものではなく、他のモバイル通信ネットワーク又はシステム、例えば3GPP UMTS、3GPP2 CDMA2000システム（1xRTT, HRPD (High Rate Packet Data)）、global system for mobile communications（GSM）/ General packet radio service（GPRS）システム、及びWiMAXシステム等に適用されてもよい。
【００２７】
＜第１の実施形態＞
始めに、本実施形態を含む複数の実施形態が対象とする非ライセンス周波数（Unlicensed frequency band, Unlicensed spectrum）を利用するUnlicensed LTEのいくつかの例について説明する。ここで、Unlicensed LTEはLTE-UまたはU-LTEとも呼ばれ、以降ではLTE-Uと記載して説明する。また、非ライセンス周波数とは、例えばレーダーシステム及び無線LAN（WLAN。WiFiとも呼ばれる）にも使用される周波数で、特定のオペレータ（つまり、サービス事業者）のみに割り当てられたライセンス周波数以外の周波数を指す。非ライセンス周波数としては、例えば5 GHz帯が想定されるが、これには限定されない。更に、以下に説明される複数の実施形態は、複数のオペレータに共通に割り当てられた共用周波数（Shared frequency band, Shared spectrum）においても適用可能であることは言うまでもない。以降では、ライセンス周波数以外のこれらの周波数を総称して非ライセンス周波数と呼ぶ。
【００２８】
図１Ａ及び図１Ｂは、本実施形態を含む複数の実施形態が対象とするLTE-Uの無線通信システムと他のシステムの構成例を示す図である。図１Ａの例では、無線通信システムは、LTEの無線基地局（eNB）１１と無線端末（UE）３を含む。eNB１１とUE３は、ライセンス周波数（F1）で通常のLTEによる通信を行うよう構成され、非ライセンス周波数（F2）にてLTE-Uによる通信を行うよう構成されている。図１Ｂの例では、図１Ａの例に加え、LTE eNB１１がリモート基地局１２（RRH又はRRE）を管理し、当該リモート基地局１２によって非ライセンス周波数（F2）にてLTE-Uによる通信を行う。
【００２９】
図１Ａと１Ｂの構成は、同じシステムに共存していてもよい。さらに、図１Ａ及び図１Ｂは、想定する無線通信システムの一部分のみを示しており、実際にはeNB１１、RRH/RRE１２、及びUE３の周辺に複数のeNB及びRRH/RRE並びに複数のUEが存在し、複数のライセンス周波数のセルがこれら複数のeNB及びRRH/RREにより管理される。さらに、eNB１１、RRH/RRE１２、及びUE３の周辺に複数の無線LANアクセスポイント（WLAN AP）と複数の無線LAN端末（WLAN Terminal）が存在してもよい。以降の説明では、LTE-Uの機能を有するeNBを総称して無線基地局１又はLTE-U eNB１と呼ぶ。つまり、無線基地局１又はLTE-U eNB１は、図１Ａの構成ではeNB１１に相当し、図１Ｂの構成ではeNB１１及びRRH/RRE１２に相当する。説明の便宜上、図１Ｂの構成のRRH/RRE１２に対応するノードのみを指して無線基地局１又はLTE-U eNB１と呼ぶこともある。
【００３０】
上述および以降の説明では、LTE-UがLAA（LA-LTEとも呼ばれる）で実現されることを想定する。既に述べたように、LAAでは、無線基地局（LTE-U eNB）１と無線端末（UE）３は、ライセンス周波数のセルと非ライセンス周波数のセルをキャリアグリゲーション（CA）し、ライセンス周波数のセルをプライマリセル（PCell）として使用すると共に、非ライセンス周波数のセルをセカンダリセル（SCell）として使用する。既に述べたように、LTE-Uは、非ライセンス周波数において実行される代わりに、複数のオペレータ（サービス事業者）に割り当てられた共用周波数（Shared frequency band、Shared spectrum）において実行されてもよい。この場合、LTE-Uは、上述のLAA又はこれと同様の方式で実現されてもよい。あるいは、LTE-U eNB１とUE３は、複数（例えば、F3とF4の２つ）の共用周波数を使用してCAを行い、片方の共用周波数（F3）をPCellとして通常のLTEを実行し、もう一方の共用周波数（F4）をSCellとしてLTE-Uを実行するようにしてもよい。既に述べたように、共用周波数におけるLTE-Uは特にLicensed Shared Access (LSA)とも呼ばれる。さらにまた、LTE-U eNB１とUE３は、複数のオペレータに割り当てられた共用周波数（例えばF3）と、いずれのオペレータにも割り当てられていない狭義の非ライセンス周波数（例えばF2、例えば5GHz帯）を使用してCAを行い、共用周波数（F3）をPCellとして通常のLTEを実行し、狭義の非ライセンス周波数（F2）をSCellとしてLTE-Uを実行するようにしてもよい。
【００３１】
図２は、異なるLTEオペレータによって提供される複数のセルが同じPCIを使用する状況の一例を示している。図２の例では、LTE-U eNB１は、オペレータAによって管理され、ライセンス周波数F1においてCell #1（UE３にとってはPCell）を運用し、非ライセンス周波数F2においてCell #2を運用している。Cell #2は、PCI #5を持つ。一方、LTE-U eNB２は、オペレータAとは異なる他のオペレータBによって管理され、非ライセンス周波数F2においてCell #3を運用している。図２の例では、Cell #2及びCell #3は互いに隣接しており且つ同じPCI #5を持つため、UE３においてPCI collisionが発生するおそれがある。なお、同じPCI #5を持つCell #2及びCell #3は、互いに隣接していないが、各々がCell #1に隣接するよう配置されてもよく、この場合にはLTE-U eNB１においてPCI confusionが発生するおそれがある。
【００３２】
本実施形態に係るLTE-U eNB１は、Cell #2とCell #3の間のPCIの競合、つまりPCI collision又はPCI confusionを検出するために、PCI #5のセルに関してUE３によって測定されたCell-specific Reference Signal（CRS）及びChannel State Information Reference Signal（CSI-RS）の受信信号品質を利用する。以下では、まずCRS及びCSI-RSの定義について説明し、次に本実施形態に係るCRS及びCSI-RSの受信信号品質を利用したPCI競合の検出方法について説明する。
【００３３】
CRSは、LTE Release 8において規定されている参照信号の１つであり、UEにおいて復調のためのチャネル推定に利用され、Releases 8及び9のUEにおいてChanel Quality Indicator（CQI）を求めるために利用される。Cell-specific Reference Signal（CRS）は、Common Reference Signal（CRS）と呼ばれることもある。CRSの送信に利用される無線リソース（つまり、リソースエレメント（REs））は、UEにおいて既知である。より具体的に述べると、図３に示すように、CRSは、各スロットの第０シンボルと第４シンボルに配置される。図３は、normal cyclic prefix、１（one）アンテナポート、且つvshiftの値が５であるときのCRSのリソースエレメントへのマッピング（つまり、CRSパターン）を示している。vshiftは、CRSが配置されるリソースエレメント（CRSリソースと呼ぶ）の周波数シフトを定める変数であり、以下の（１）式により定義される。NcellIDは、Physical layer cell identityであり、つまりPhysical Cell Identity（PCI）を意味する。すなわち、CRSリソースは、PCIに基づいて定まる。図２に示されたPCI #5のセルの場合、vshift は５である。
【数１】
2016103691.tif 000003
【００３４】
一方、CSI-RSは、3GPP Release 10（LTE-Advanced）において規定されている参照信号の１つであり、eNBでのプリコーディング動作を支援するために最大８送信アンテナポートのCSIフィードバックを得るために利用される。CSIは、CQI、Precoding Matrix Indicator（PMI）、及びRank Indicator（RI）を含む。さらに、CSI-RSは、Coordinated Multipoint（CoMP）transmission及びDual Connectivity（DC）等のマルチセル・オペレーションをサポートするために、UEにそのサービングセルだけでなく複数のセルのCSIを推定することを可能とする。
【００３５】
CSI-RSがCRSと異なる点は、CSI-RSのリソースエレメントへのマッピング（つまり、CSI-RSパターン）がUEにおいて既知ではない点である。CSI-RSが配置されるリソースエレメント（CSI-RSリソースと呼ぶ）は、動的（dynamically）、準静的（semi-statically）、又は静的（statically）に、サービングセルにおいてeNBによりUEに設定される。言い換えると、CSI-RSの設定は、UE-specificであると言うこともできる。ここで、UE-specificとの用語は、複数のUEに互いに異なるCSI-RSパターンが必ず設定されなければならないことを意味するのではなく、したがって複数のUEに同じCSI-RSパターンが設定されてもよい。
【００３６】
より具体的に述べると、eNBは、Radio Resource Control（RRC）シグナリングを用いて、対象セル（サービングセル又は他のセル）のCSI-RS設定（つまり、CSI-RS-Config-r10またはCSI-RS-Config-r12）をUEに送信する。図２の例では、LTE-U eNB１は、PCI #5のCell #2に関するCSI-RS設定をサービングセル（Cell #1）においてUE３に送信してもよい。CSI-RS設定は、CSI-RSリソース設定（resourceConfig）、並びにCRS-RSサブフレームの設定（subframeConfig）を含む。CSI-RSリソース設定（resourceConfig）は、CRS-RSリソースを指定する。具体的には、CSI-RSリソース設定（resourceConfig）は、３２通りのマッピングパターンのいずれが使用されるかを０から３１の間の整数値により示す。３２通りのマッピングパターンのうち、２０通りはframe structure type 1（FDD）及びframe structure type 2（TDD）に共に利用でき、残りの１２通りのマッピングパターンはframe structure type 2（TDD）のみに利用できる。一方、サブフレーム設定（subframeConfig）は、CSI-RSの送信周期（periodicity）及びサブフレームオフセットを指定する。サブフレーム設定（subframeConfig）は、１５５通りの送信周期およびサブフレームオフセットの組み合せのいずれが使用されるかを０から１５４の間の整数値により示す。
【００３７】
図４は、normal cyclic prefix、１（one）アンテナポート、且つCSI-RSリソース設定（resourceConfig）の値がゼロであるときのCSI-RSのリソースエレメントへのマッピングを示している。図４に示されるように、CSI-RSは、CRSとは異なるリソースエレメントに配置される。
【００３８】
以上の説明から理解されるように、CRSとCSI-RSは、その送信に利用されるリソースエレメント（REs）がUE３において既知であるか否かという点で異なる。すなわち、UE３は、検出したセル（e.g., Cell #3）のPCI値（e.g., PCI #5）に基づいて、当該セルにおいてCRSが送信されるリソースエレメント（REs）を確定できる。一方、UE３は、LTE-U eNB１又はオペレータAによって運用されるCell #2のCSI-RS設定をLTE-U eNB１から受信した場合、Cell #2から送信されるCSI-RSを受信できるが、これと同じPCI値（PCI #5）を持つCell #3から送信されるかもしれないCSI-RSを受信することはできない。
【００３９】
ここでは、図２の例において、LTE-U eNB１が非ライセンス周波数（F2）におけるCell #2の測定をUE３に指示し、UE３がCell #2ではなくCell #3を誤って検出するケースを考える。具体的には、LTE-U eNB１は、Cell #2のCSI-RS設定（CSI-RS configuration）及び測定設定（measurement configuration）をサービングセル（Cell #1）においてUE３に送信すればよい。UE３は、LTE-U eNB１からの指示に従って、非ライセンス周波数（F2）においてPCI #5を有するセルの検出を試行するが、Cell #2ではなくCell #3を検出する。UE３は、Cell #3の無線フレームに同期し、PCI #5に基づいて定まるリソースエレメント(REs)においてCRSの受信信号品質（CRS-based received signal quality）を測定する。UE３は、さらに、LTE-U eNB１から指示されたCell #2のCSI-RS設定に従って、Cell #3の無線フレーム（又はサブフーレム、スロット）に同期しながらCSI-RSの受信信号品質（CSI-RS-based received signal quality）を測定する。
【００４０】
ここで、UE３は、PCI値（PCI #5）に基づいて定まるリソースエレメントを用いてCell #3において送信されるCRSを正常に受信できるが、Cell #2にて送信されるCSI-RS及びCell #3にて送信されるかもしれないCSI-RSのいずれも正常に受信できないことに留意するべきである。Cell #2にて送信されるCSI-RSをUE３が正常に受信できない理由は、Cell #2の無線フレームは通常Cell #3の無線フレームと同期していない（言い換えると、無線フレーム境界がずれている）ためである。したがって、Cell #3と同期しているUE３がCell #2に関するCSI-RS設定により指定されたCSI-RSリソース（つまり、サブフレーム内でのリソースエレメント配置）において受信を試みても、それらのタイミングではCell #2のCSI-RSが送信されていない可能性が高く、よってUE３はCell #2のCSI-RSを正常に受信できない。一方、Cell #3にて送信されるかもしれないCSI-RSをUE３が正常に受信できない理由は、UE３がCell #3に関するCSI-RS設定を知らず、Cell #2に関するCSI-RS設定に基づいてCSI-RSの受信を試みるためである。したがって、仮にCell #3からCSI-RSが送信されていたとしても、Cell #3のCSI-RS設定はCell #2のCSI-RS設定と異なる可能性が高いから、UE３はCell #3の無線フレームに同期してCSI-RSの受信を試みてもこれを正常に受信できない。あるいは、Cell #3ではCSI-RSが送信されていないために、UE３はCSI-RSを受信できないかもしれない。
【００４１】
本実施形態では、以上に説明したCell #3からのCRSとCell #3からのCSI-RSのUE３における受信可能性の違いをPCIの競合の検出に利用する。すなわち、本実施形態に係るLTE-U eNB１は、UE３によって測定されたCRSの受信信号品質及びCSI-RSの受信信号品質に基づいて、UE３よって検出されたあるPCI値（e.g., PCI #5）のセル（e.g., Cell #3）がLTE-U eNB１が意図しているセル（e.g., Cell #2）と同一であるか否かを判定する。
【００４２】
UE３によって測定されるRSsの受信信号品質は、例えば、受信電力（つまり、Reference Signal Received Power（RSRP））であってもよいし、Reference Signal Received Quality（RSRQ）であってもよい。RSRPは、参照信号（RSs）が送信されるリソースエレメント（REs）での平均受信電力として定義される。RSRQは、以下の（２）式に示すようにRSRPとReceived Signal Strength Indicator（RSSI）の比として定義される。RSSIは、参照信号（RSs）が送信されるタイミング（つまり、OFDMシンボル）における所定のダウンリンク帯域幅（例えば、全ダウンリンク帯域幅（つまり、NDLRBリソースブロック））の平均受信電力、又は当該サブフレームの全OFDMシンボルにおける所定のダウンリンク帯域幅の平均受信電力である。（２）式中のNは、RSSIの測定帯域の違いを調整するための正規化因子であり、全ダウンリンク帯域幅（チャネル帯域 BWChannel）に含まれるリソースブロック数NDLRBを意味している。したがって、（２）式中のNは、ダウンリンク帯域幅（チャネル帯域 BWChannel）が1.4 MHzである場合に６であり、20 MHzである場合に１００である。
【数２】
2016103691.tif 000004
【００４３】
これらに代えて、UE３によって測定されるRSsの受信信号品質は、参照信号の受信電力（RSRP）を用いて計算される他の品質指標であってもよい。例えば、UE３は、Signal to Interference plus Noise Ratio（SINR）をRSsの受信信号品質として求めてもよい。UE３は、RSRP又はRSRPを用いて決定されるCSI、つまりCQI、PMI、又はRIをRSsの受信信号品質として求めてもよい。
【００４４】
LTE-U eNB１は、Cell #2のCSI-RS設定（CSI-RS configuration）及び測定設定（measurement configuration）をサービングセル（Cell #1）においてUE３に送信し、これらに応答してUE３から測定報告を受信する。当該測定報告は、UE３によってPCI #5のセルに関して測定されたCRSの受信信号品質（CRS-based received signal quality）及びCSI-RSの受信信号品質（CSI-RS-based received signal quality）を含む。なお、当該測定報告は、CRS及びCSI-RSの受信信号品質を用いて計算された他の品質値を含んでもよい。当該他の品質値は、CRSの受信信号品質とCSI-RSの受信信号品質との相関の強さを示すものであればよく、例えば、CRSの受信信号品質とCSI-RSの受信信号品質の差又は比であってもよい。
【００４５】
幾つかの実装において、LTE-U eNB１は、CRSの受信信号品質とCSI-RSの受信信号品質との間の相関の強さが所定の閾値を下回る場合に、UE３によって検出されたPCI #5のセル（e.g., Cell #3）がLTE-U eNB１が意図しているPCI #5のセル（e.g., Cell #2）と異なること、つまりPCIの競合の発生、を判定してもよい。なぜなら、UE３がCell #2を検出しているなら、CRSの受信信号品質とCSI-RSの受信信号品質との間には正の相関が存在すると考えられるのに対して、UE３がCell #3を検出しているなら、CRSの受信信号品質とCSI-RSの受信信号品質との間は実質的に無相関であるか負の相関があると考えられるためである。すなわち、UE３がCell #2を検出しているなら、CSRの受信信号品質が良好であるほど、CSI-RSの受信信号品質も良好である関係が期待できる。これに対して、UE３がCell #3を検出している場合、Cell #3からのCRSの受信信号品質と、Cell #2のCSI-RS設定に従って測定されたCSI-RSの受信信号品質との間に実質的な関連性はない。あるいは、Cell #3からのCRSの受信信号品質が良好であることはUE３の位置がCell #2から遠いことを意味する可能性があり、したがって、Cell #3からのCRSの受信信号品質が良好であるほど、Cell #2のCSI-RS設定に従って測定されたCSI-RSの受信信号品質が劣化するかもしれない。
【００４６】
LTE-U eNB１は、CRSの受信信号品質とCSI-RSの受信信号品質との間の相関を評価するために、統計学的な相関係数を計算してもよい。これに代えて、LTE-U eNB１は、CRSの受信信号品質とCSI-RSの受信信号品質の差又は比を用いてこれらの間の相関を評価してもよい。CRSの受信信号品質とCSI-RSの受信信号品質の差の絶対値が小さいこと、又は比が１に近いことは、CRSの受信信号品質とCSI-RSの受信信号品質との間に正の相関があることを示唆する。これと反対に、CRSの受信信号品質とCSI-RSの受信信号品質の差の絶対値が大きいこと、又は比が大きいこと若しくはゼロに近いことは、CRSの受信信号品質とCSI-RSの受信信号品質との間に相関がないこと又は負の相関があることを示唆する。一例として、LTE-U eNB１は、CRS-based RSRP/RSRQとCSI-RS-based RSRP/RSRQとの差の絶対値が所定の閾値（e.g., 9 dB）を超える場合に、UE３によって検出されたPCI #5のセル（e.g., Cell #3）がLTE-U eNB１が意図しているPCI #5のセル（e.g., Cell #2）と異なること、つまりPCIの競合の発生、を判定してもよい。
【００４７】
なお、本実施形態において、Cell #2のCSI-RS設定のLTE-U eNB１による送信は、UE３のための追加的なサービングセルとしてCell #2を使用することを目的として行われてもよい。この場合、LTE-U eNB１は、CSI-RS設定（及び測定設定）とともに、Cell #2を追加的なサービングセルとして使用するために必要な他の設定を送信してもよい。これに代えて、Cell #2のCSI-RS設定のLTE-U eNB１による送信は、Cell #2をサービングセルとして使用開始する前に、Cell #2のCSI-RSの測定報告を得ることを目的として行われてもよい。この場合、LTE-U eNB１は、少なくともCSI-RS設定（及び測定設定）をUE３に送信すればよい。
【００４８】
続いて以下では、本実施形態に係るLTE-U eNB１およびUE３によって行われる処理をフローチャートを参照して説明する。図５は、UE３によって行われる処理の一例（処理５００）を示している。ブロック５０１では、UE３は、オペレータAのPCI #5のセル（Cell #2）に関するCSI-RS 設定及び測定設定をサービングセル（Cell #1）においてLTE-U eNB１から受信する。ブロック５０２では、UE３は、PCI #5のセル（e.g., Cell #3）を検出する。
【００４９】
ブロック５０３では、UE３は、検出されたPCI #5のセル（e.g., Cell #3）において、PCI値（PCI #5）に基づいて定まるCRSリソースを受信し、CRS-based RSRPを測定する。なお、既に述べたように、UE３は、CRS-based RSRPに代えて又はこれと組み合せて、CRS-based RSRQ、SIR、CQI、PMI、及びRIのうち少なくとも１つを測定してもよい。
【００５０】
ブロック５０４では、UE３は、検出されたPCI #5のセル（e.g., Cell #3）の無線フレームに同期して、LTE-U eNB１から受信したCell #2のCSI-RS設定に従ってCSI-RSリソースを受信し、CSI-RS-based RSRPを測定する。UE３は、CSI-RS-based RSRPに代えて又はこれと組み合せて、CSI-RS based RSRQ、SIR、CQI、PMI、及びRIのうち少なくとも１つを測定してもよい。
【００５１】
ブロック５０５では、UE３は、CRS及びCSI-RSの受信信号品質（ここでは、RSRPs）をサービングセル（Cell #1）においてLTE-U eNB１に報告する。
【００５２】
図６は、LTE-U eNB１によって行われる処理の一例（処理６００）を示している。ブロック６０１では、LTE-U eNB１は、オペレータAのPCI #5のセル（Cell #2）に関するCSI-RS 設定及び測定設定をサービングセル（Cell #1）においてUE３に送信する。ブロック６０２では、LTE-U eNB１は、PCI #5のセルに関するCRS及びCSI-RSの受信信号品質（ここでは、RSRPs）をサービングセル（Cell #1）においてUE３から受信する。ブロック６０３では、LTE-U eNB１は、UE３から受信したCRS-based及びCSI-RS based RSRPsに基づいて、PCIの競合が生じているか否かを判定する。言い換えると、LTE-U eNB１は、UE３によって検出されたPCI #5のセルがLTE-U eNB１自身が想定しているCell #2と同一であるか否かを判定する。LTE-U eNB１は、既に説明した複数の判定方法のうち少なくとも１つを用いればよい。
【００５３】
上述したように、本実施形態に係るLTE-U eNB１は、UE３によって測定されたCRS及びCSI-RSの受信信号品質に基づいて、PCIの競合、つまりPCI collision又はPCI confusion、を検出することができる。したがって、本実施形態によれば、LTE-U eNB１は、セルをグローバルに一意に特定するためのECGI等のセル識別子をUE３において利用できない場合であっても、PCIの競合を検出することができる。
【００５４】
また、本実施形態に係るUE３は、PCIの競合の検出に有用な情報（つまり、CRS及びCSI-RSの受信信号品質、又はこれらを用いて計算される品値）をLTE-U eNB１に提供できる。したがって、本実施形態によれば、UE３は、ネットワーク（e.g., LTE-U eNB１）によるPCIの競合、つまりPCI collision又はPCI confusionの検出を支援することができる。
【００５５】
なお、本実施形態において、LTE-U eNB１は、Cell #2に関する複数のCSI-RS設定をUE３に設定してもよい。複数のCSI-RS設定は、CSI-RSが送信されるサブフレームの周期及びオフセット並びにこれらのサブフレームにおいて使用されるCSI-RSパターンのうち少なくとも１つが互いに異なる。これにより、Cell #2とCell #3のCSI-RS設定が偶然に一致することに起因するPCI検出精度の低下を抑制できる。
【００５６】
LTE-U eNB１は、PCIの競合を検出した場合に、当該競合を解消又は回避するための処理を行ってもよい。このような処理の具体例については以下の実施形態において説明される。
【００５７】
LTE-U eNB１は、PCIが競合していると判定されたPCI値（e.g., PCI #5）を持ち且つサービングセル（Cell #1）の近傍で運用されているオペレータAのセル（e.g., Cell #2）でのCRS送信を停止し、当該セル（e.g., Cell #2）でのCRS送信が停止された状態において当該PCI値（e.g., PCI #5）のセルの測定をUE３に指示してもよい。そして、オペレータAのセル（e.g., Cell #2）でのCRS送信が停止されているにも関わらず、当該セルと同じPCI値（e.g., PCI #5）を持つ他のセル（e.g., Cell #3）がUE３において検出されたことに応答して、LTE-U eNB１は、PCI競合を解消又は回避するための処理を行ってもよい。このような動作によれば、PCIの競合の発生をより正確に判定することができる。
【００５８】
＜第２の実施形態＞
本実施形態では、UEおよびeNBによって行われる処理の他の例が説明される。本実施形態に係る無線通信システムの構成例は、第１の実施形態に関して説明された図１Ａ、図１Ｂ、及び図２と同様である。本実施形態では、LTE-U eNB１は、PCIの競合を検出した場合に、PCIの競合を解消又は回避する処理を実行する。PCIの競合の検出は、第１の実施形態で説明された複数の方法のいずれかに従って行われてもよい。
【００５９】
図７は、PCIの競合の検出に応答してLTE-U eNB１によって行われる処理の一例（処理７００）を示すフローチャートである。ブロック７０１では、LTE-U eNB１は、PCIの競合を解消又は回避するためにオペレータAのセル（e.g., Cell #2）の設定（e.g., PCI、フレームタイミング、又はON期間）を変更する。一例として、LTE-U eNB１は、オペレータAによってサービングセル（Cell #1）の近傍で運用されている非ライセンス周波数（F2）を使用するPCI #5のセル（e.g., Cell #2）のPCI値を他のPCIに変更することによってPCIの競合を解消してもよい。他の例において、LTE-U eNB１は、オペレータAのPCI #5を使用するセル（e.g., Cell #2）のフレームタイミング又はON期間がUE３によって検出されたセル（e.g., Cell #3）のそれと重ならないように調整することで、同一PCI及び同一周波数を使用する２つのセル（e.g., Cell #2及びCell #3）をUE３において区別できるようにしてもよい。なお、オペレータAのセル（e.g., Cell #2）のフレームタイミング又はON期間がUE３によって検出された非ライセンス周波数のセル（e.g., Cell #3）のそれと既に異なる場合、ブロック７０１の処理は省略されてもよい。
【００６０】
なお、本実施形態及び他の実施形態におけるフレームタイミングとの用語は、無線端末（e.g., UE３）において無線フレーム又はサブフレームの先頭（フレーム境界）を受信したタイミング、又は無線基地局（e.g., LTE-U eNB１）から無線フレーム又はサブフレームの先頭（フレーム境界）を送信するタイミングを意味してもよい。或いは、フレームタイミングとの用語は、無線端末において同期信号（e.g., PSS、SSS）を受信したタイミング、又は無線基地局が同期信号（e.g., PSS、SSS）を送信するタイミングを意味してもよい。
【００６１】
ブロック７０２では、LTE-U eNB１は、UE３による所定の処理の対象とされるべき非ライセンス周波数（F2）のセル（e.g., Cell #2又はCell #3）を特定するためのセル特定情報をサービングセル（Cell #1）においてUE３に送信する。
【００６２】
一例において、セル特定情報は、LTE-U eNB１又はそのオペレータAによって非ライセンス周波数において提供されるセルをUE３による処理対象として特定するために、以下に列挙するパラメータのうち少なくとも１つを指定してもよい：
・オペレータＡが使用する非ライセンス周波数（e.g., F2）、
・オペレータAのセル（e.g., Cell #2）のセル識別子、
・オペレータAのセル（e.g., Cell #2）のフレームタイミング、及び
・オペレータAのセル（e.g., Cell #2）のON期間。
ここで、セル識別子は、PCIでもよいし、PCIとは異なる他のセル識別子でもよいし、それらの組み合わせでもよい。
【００６３】
他の例において、セル特定情報は、他のオペレータ（e.g., オペレータB）のセル（e.g., Cell #3）をUE３による処理対象として特定するために、以下に列挙するパラメータのうち少なくとも１つを指定してもよい：
・オペレータAのセルとは異なるセル識別子、
・オペレータAのセルとは異なるフレームタイミング、及び
・オペレータAのセルとは異なるON期間。
ここで言うオペレータＡのセルとは、当該オペレータＡの各eNB（LTE-U eNB1）が把握している限りのセル（例えば、自セル及び隣接セルリストのセル）であればよく、必ずしもオペレータＡの全てのセルである必要はない。
【００６４】
さらに他の例において、セル特定情報は、他のオペレータBのセル（Cell #3）をUE３による処理対象として特定するために、オペレータAのセル（e.g., Cell #2）のPCI、フレームタイミング、又はON期間を指定してもよい。この場合、UE３は、セル特定情報において明示的に指定されていないPCI、フレームタイミング、又はON期間において、所定の処理を行えばよい。
【００６５】
セル特定情報は、複数のPCI、複数のフレームタイミング、又は複数のON期間を指定してもよい。セル特定情報は、複数のPCIを指定するために、PCIの範囲（e.g., 100 to 200）を指定してもよい。
【００６６】
セル特定情報は、例えば、サービングセル（Cell #1）においてRRC signaling（message）による個別制御情報としてUE３に送信されてもよい。RRC signaling（message）は、RRC Connection Reconfiguration messageであってもよく、eNB１は、端末測定に必要な設定情報（Measurement configuration: MeasConfig）としてセル特定情報を送信してもよい。これに代えて、セル特定情報は、サービングセル（Cell #1）の報知情報（System Information: SI, System Information Block: SIB）で送信されてもよい。
【００６７】
セル特定情報が、PCI、PCIのリスト、又はPCIの範囲の指定を含む場合、当該セル特定情報は、PCI情報（PCI information）と呼ぶことができる。
【００６８】
UE３によって行われる所定の処理は、以下に列挙する処理のうち少なくとも１つを含んでもよい。
・セルサーチ処理（cell search）
・セル選択処理（cell selection）
・セル再選択処理（cell reselection）
・セルへの近接の検出（proximity estimation）
・セルへの近接の報告（proximity indication）
・端末測定（RRM measurement）
・端末測定結果の報告（RRM measurement report）
・無線品質測定（CQI measurement）
・無線品質測定結果の報告（CQI report）
・通信路状態測定（CSI measurement）
・通信路状態測定結果の報告（CSI report）
・Sensing (CCA, energy detection)
【００６９】
あるセルをセルサーチ処理の対象とすることは、当該セルのPSS及びSSSの系列をcell search機能における検索の候補として選択することを意味する。セルサーチ処理は、以下の少なくとも１つを目的に当該セルが存在しているか否かを検索（探索）することであってもよい：
（ａ）サービングセル（e.g. SCell）として使用すること、
（ｂ）他のオペレータのセルが存在するか否かを確認すること、
（ｃ）他のオペレータのセルからの干渉測定（inter-operator measurement, inter-operator cell interference measurement, inter-network measurement, or inter-network interference measurement）を行うこと、及び
（ｄ）sensing(e.g. CCA, energy detection)を行うこと。
【００７０】
セルへの近接の検出は、例えば上述の（ａ）〜（ｄ）の少なくとも１つを目的に、対象セルが周辺（近く）に存在するか否かを、UE３が自律的に確認（推定）することであってもよい。セルへの近接（proximity）の検出は、セルへの近接の推定（proximity estimation）、セルの利用可能性（cell availability）の検出、又は単にセルの検出（cell discovery）と呼ぶこともできる。UE３による非ライセンス周波数における非帰属セル（non-serving cell）への近接（proximity）の検出は、例えば、当該非帰属セルにおいて無線基地局（LTE-U eNB）１から送信されるセル特定信号を検出することを含む。セル特定信号は、既知シンボル又は既知系列を包含する。セル特定信号は、例えば、同期信号（Synchronization Signal。LTEでは、PSS及びSSS）又は参照信号（Reference Signal: RS）でもよいし、当該セルにおいて報知される基本情報（Master Information Block: MIB）又はシステム情報（System Information Block: SIB。例えばSIB1若しくはSIB2、又はLTE-U用に規定されたSIBx）でもよい。この場合、UE３は、例えば当該セル特定信号（e.g., RS）の受信信号品質（e.g., RSRP, RSRQ, RSSI, SINR, 又はCQI）が所定の閾値以上か否か（または閾値より大きいか否か）に基づいて当該非帰属セルへの近接を検出してもよい。これに代えて、UE３は、当該非帰属セルにおいて報知される基本情報（MIB）又はシステム情報（SIB）を正しく受信したか否かに基づいて、当該非帰属セルへの近接を検出してもよい。なお、参照信号は、例えばセル固有参照信号（Cell Specific RS: CRS）、通信路状態情報（Channel State Information: CSI）の測定報告用の参照信号（CSI RS）、及びセル検出用の参照信号（Discovery RS: DRS）のうち少なくともいずれかを含んでもよい。DRSは、例えばPSS、SSS、CRS、及びCSI RSのうち２つ以上の組み合わせであってもよいし、セル検出のために新たに規定された参照信号であってもよい。
【００７１】
セルへの近接の報告は、上述のセルへの近接の検出の結果をライセンス周波数のサービングセル(e.g., PCell)でLTE-U eNB１へ報告することを含む。当該報告は、Radio Resource Control (RRC) messageとしてUE３からLTE-U eNB１に送信されてもよい。当該報告は、検出された非ライセンス周波数のセルを特定するために、セル識別子（e.g., PCI）に加えてタイミング情報を含んでもよい。当該タイミング情報は、無線端末における下りリンクの信号の受信に関するもので、検出されたセルのフレームタイミングとサービングセルのそれとの関係を示す。当該タイミング情報は、検出されたセルのフレームタイミングとサービングセルのそれとの差（e.g., 時間差、又はサブフレーム番号の差）を示してもよい。
【００７２】
図８は、UE３によって行われる処理の一例（処理８００）を示すフローチャートである。処理８００は、図７のブロック５０２に記載されたセル特定情報を受信したときのUE３の動作を示している。ブロック８０１では、UE３は、非ライセンス周波数（F2）のセルを特定するためのセル特定情報をサービングセル（Cell #1）においてLTE-U eNB１から受信する。ブロック８０２では、UE３は、セル特定情報に従って特定された非ライセンス周波数（F2）のセルを対象として所定の処理を行う。セル特定情報およびUE３により行われる所定の処理は、既に説明したとおりである。図７及び図８の手順によれば、PCIの競合を解消または回避し、非ライセンス周波数を使用する複数のセルのうちUE３によって行われる処理の対象とされるべきセルを適切に特定することができる。
【００７３】
＜第３の実施形態＞
本実施形態では、UEおよびeNBによって行われる処理の他の例が説明される。本実施形態に係る無線通信システムの構成例は、第１の実施形態に関して説明された図１Ａ、図１Ｂ、及び図２と同様である。
【００７４】
第１の実施形態では、CRS based 及びCSI-RS based受信信号品質を共に明示的に利用して、又はこれらを用いて計算される他の品質指標（CRSの受信信号品質とCSI-RSの受信信号品質の差又は比）を利用して、LTE-U eNB１がPCI競合を判定する例を示した。しかしながら、いくつかの実装において、PCI競合を判定するために直接的に利用される品質指標は、CSI-RS based受信信号品質のみであってもよい。言い換えると、LTE-U eNB１は、少なくともCSI-RS based受信信号品質に基づいてPCI競合を判定するよう構成されてもよい。
【００７５】
図９は、LTE-U eNB１によって行われる処理の一例（処理９００）を示している。ブロック９０１では、LTE-U eNB１は、特定のPCI（e.g., PCI #5）を持つセルを検出したことを示す報告をUE３から受信する。当該報告は、基本情報（e.g., MIB, SIB1, SIB2）が正しく受信できた場合にUE３から送信されてもよい。当該報告は、UE３によって検出されたCRS based受信品質（e.g., CRS-based RSRP）を含んでもよい。あるいは、当該報告は、UE３によって検出されたCRS based受信品質（e.g., CRS-based RSRP）が閾値以上であることを条件としてUE３から送信されてもよい。当該閾値は、LTE-U eNB１によってUE３に設定されてもよい。
【００７６】
ブロック９０２では、LTE-U eNB１は、UE３から報告された特定のPCI（e.g., PCI #5）に関するCRS based受信品質が所定値以上である場合に、eNB１によって又はeNB１と同じオペレータAによって運用されるCell #2のCSI-RS設定（CSI-RS configuration）をUE３に送信する。なお、ブロック９０１の報告がCRS based受信品質（e.g., CRS-based RSRP）が閾値以上であることを条件として送信される場合、LTE-U eNB１は、ブロック９０１の報告の受信に応答してCSI-RS設定を送信してもよい。ブロック９０２において、LTE-U eNB１は、CSI-RS設定と共に測定設定（measurement configuration）を送信してもよい。
【００７７】
なお、ブロック９０２におけるCell #2のCSI-RS設定の送信は、UE３のための追加的なサービングセルとしてCell #2を使用することを目的として行われてもよい。この場合、LTE-U eNB１は、CSI-RS設定（及び測定設定）とともに、Cell #2を追加的なサービングセルとして使用するために必要な他の設定を送信してもよい。これに代えて、Cell #2のCSI-RS設定のLTE-U eNB１による送信は、Cell #2をサービングセルとして使用開始する前に、Cell #2のCSI-RSの測定報告を得ることを目的として行われてもよい。この場合、LTE-U eNB１は、少なくともCSI-RS設定（及び測定設定）をUE３に送信すればよい。
【００７８】
ブロック９０３では、LTE-U eNB１は、CSI-RS based受信信号品質をUEから受信し、当該受信信号品質に基づいてPCI #5の競合の有無を判定する。具体的には、LTE-U eNB１は、UE３によって測定されたCSI-RS based受信信号品質が所定の閾値を下回る場合に、PCI競合の発生を判定してもよい。
【００７９】
上述したように、本実施形態に係るLTE-U eNB１は、UE３によって測定されたCSI-RSの受信信号品質に基づいて、PCIの競合、つまりPCI collision又はPCI confusion、を検出することができる。したがって、本実施形態によれば、LTE-U eNB１は、セルをグローバルに一意に特定するためのECGI等のセル識別子をUE３において利用できない場合であっても、PCIの競合を検出することができる。
【００８０】
最後に上述の実施形態に係る無線基地局（LTE-U eNB１）及び無線端末（UE３）の構成例について説明する。上述の実施形態で説明された無線基地局（LTE-U eNB１）の各々は、無線端末（UE３）と通信するためのトランシーバ、及び当該トランシーバに結合されたコントローラを含んでもよい。コントローラは、上述の実施形態で説明された無線基地局（LTE-U eNB１）に関する処理（例えば、CRS based 及びCSI-RS based受信信号品質に基づくPCIの競合の検出）を実行する。
【００８１】
上述の実施形態で説明された無線端末（UE３）の各々は、無線基地局（LTE-U eNB１）と通信するためのトランシーバ、及び当該トランシーバに結合されたコントローラを含んでもよい。コントローラは、上述の実施形態で説明された無線端末（UE３）に関する処理（例えば、CRS based 及びCSI-RS based受信信号品質のLTE-U eNB１への報告）を実行する。
【００８２】
図１０は、上述の実施形態に係る無線基地局（LTE-U eNB）１の構成例を示すブロック図である。図１０を参照すると、LTE-U eNB１は、無線トランシーバ１００１、ネットワークインターフェース１００２、プロセッサ１００３、及びメモリ１００４を含む。無線トランシーバ１００１は、UE３と通信するよう構成されている。ネットワークインターフェース１００２は、ネットワークノード（e.g., Mobility Management Entity（MME）及びServing Gateway（S-GW））と通信するために使用される。ネットワークインターフェース１００２は、例えば、IEEE 802.3 seriesに準拠したネットワークインターフェースカード（NIC）を含んでもよい。
【００８３】
プロセッサ１００３は、メモリ１００４からソフトウェア（コンピュータプログラム）を読み出して実行することで、上述の実施形態で説明された処理６００又は７００に関するLTE-U eNB１の処理を行う。プロセッサ１００３は、例えば、マイクロプロセッサ、Micro Processing Unit（MPU）、又はCentral Processing Unit（CPU）であってもよい。プロセッサ１００３は、複数のプロセッサを含んでもよい。
【００８４】
メモリ１００４は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、例えば、マスクRead Only Memory（MROM）、Programmable ROM（PROM）、フラッシュメモリ、若しくはハードディスクドライブ、又はこれらの組合せである。メモリ１００４は、プロセッサ１００３から離れて配置されたストレージを含んでもよい。この場合、プロセッサ１００３は、ネットワークインターフェース１００２又は図示されていないI/Oインターフェースを介してメモリ１００４にアクセスしてもよい。
【００８５】
メモリ１００４は、上述の実施形態で説明された処理６００又は７００に関するLTE-U eNB１の処理を実行するための命令群およびデータを含む１又は複数のソフトウェアモジュールを格納するために使用されてもよい。プロセッサ１００３は、当該１又は複数のソフトウェアモジュールをメモリ１００４から読み出して実行することで、上述の実施形態で説明されたLTE-U eNB１の処理を行うことができる。
【００８６】
図１１は、上述の実施形態に係る無線端末（UE）３の構成例を示すブロック図である。図１１を参照すると、UE３は、無線トランシーバ３００１、プロセッサ３００２、及びメモリ３００３を含む。無線トランシーバ３００１は、LTE-U eNB１と通信するよう構成されている。
【００８７】
プロセッサ３００２は、メモリ３００３からソフトウェア（コンピュータプログラム）を読み出して実行することで、上述の実施形態で説明された処理５００又は８００に関するUE３の処理を行う。プロセッサ３００２は、例えば、マイクロプロセッサ、MPU、又はCPUであってもよい。プロセッサ３００２は、複数のプロセッサを含んでもよい。
【００８８】
メモリ３００３は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。また、メモリ３００３は、プロセッサ３００２から離れて配置されたストレージを含んでもよい。この場合、プロセッサ３００２は、図示されていないI/Oインターフェースを介してメモリ３００３にアクセスしてもよい。
【００８９】
メモリ３００３は、上述の実施形態で説明された処理５００又は８００に関するUE３の処理を実行するための命令群およびデータを含む１又は複数のソフトウェアモジュールを格納するために使用されてもよい。プロセッサ３００２は、当該１又は複数のソフトウェアモジュールをメモリ３００３から読み出して実行することで、上述の実施形態で説明されたUE３の処理を行うことができる。
【００９０】
図１０及び図１１を用いて説明したように、上述の実施形態に係るLTE-U eNB１及びUE３が有するプロセッサの各々は、図面を用いて説明されたアルゴリズムをコンピュータに行わせるための命令群を含む１又は複数のプログラムを実行してもよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９１】
＜その他の実施形態＞
上述の複数の実施形態は、各々独立に実施されてもよいし、適宜組み合わせて実施されてもよい。
【００９２】
上述の実施形態では、説明の便宜のために、非ライセンス周波数のセルとして同一のPCIを使用する複数のセルのみが示されている図（図２）を用いて説明したが、この図は一例に過ぎない。すなわち、上述の実施形態では、PCIの競合が発生していない少なくとも１つのセルが非ライセンス周波数において運用されてもよく、UE３は、これら少なくとも１つのセルに対して上述した処理５００又は８００等を行ってもよい。さらに、上述の実施形態では、非ライセンス周波数において複数の周波数（キャリア又はチャネル）が使用可能であってもよく、UE３は、それら複数の周波数全て、又はLTE-U eNBによって指定された周波数を対象として処理５００又は８００等を行ってもよい。
【００９３】
例えば、図２に示されたCell #2（PCI #5）及びCell #3（PCI #5）に加えて、これらと異なるPCIを持つCell #4（PCI #6）が存在してもよい。この場合、LTE-U eNB１は、PCI #5を使用するCell #2およびPCI #6を使用するCell #4の測定をUE３に指示し、UE３は、PCI #5に関するCRS based 及びCSI-RS based受信信号品質に加えて、PCI #6に関するCRS based 及びCSI-RS based受信信号品質をLTE-U eNB１に報告してもよい。LTE-U eNB１は、UE３からの報告を受信し、PCIの競合が生じているおそれのあるCell #2よりも、PCIの競合が生じていないと推定されるCell #4を優先的にCAのセカンダリセル（SCell）として選択してもよい。
【００９４】
上述の実施形態では、LTE-U eNB１がPCI競合を判定する例を示した。しかしながら、いくつかの実装において、CRS based 及びCSI-RS based受信信号品質に基づくPCI競合の判定は、UE３により行われてもよい。幾つかの実装において、当該判定は、無線アクセスネットワーク（Evolved Universal Terrestrial Radio Access Network（E-UTRAN)）又はコアネットワーク（Evolved Packet Core (EPC)）内のエンティティによって行われてもよい。いくつかの実装において、当該判定は、その他のコントロールノード（e.g., Self-Organizing Network (SON) controller、Software-Defined Network (SDN) controller、Operations Support System (OSS)、Operation, Administration and Maintenance (OAM) システム、又はElement Management System (EMS)）によって行われてもよい。
【００９５】
上述の実施形態では、PCI競合を判定するためにCRS based 及びCSI-RS based受信信号品質の間の相関を利用する例を示した。しかしながら、CRSは、送信パターン（つまり、送信に使用されるリソースエレメントの無線フレーム、サブフレーム、又はスロット内での配置）がUE３において既知である参照信号の一例である。したがって、CRSの受信信号品質に代えてUE３において送信パターンが既知である他の参照信号の受信信号品質が使用されてもよい。
【００９６】
さらに、上述の実施形態において説明されたCSI-RSは、その送信パターンがLTE-U eNB１によって動的、準静的、又は静的にUE３に設定される参照信号の一例である。したがって、CSI-RSの受信信号品質に代えて他の参照信号（例えば、3GPP Release 9で導入されたUE-specific RS、3GPP Release 10で導入されたDemodulation RS（DMRS））の受信信号品質が使用されてもよい。
【００９７】
上述の実施形態において説明されたPCIは、セル識別子（物理的な識別子）の一例である。例えば、非ライセンス周波数のセルでは、PCIとは異なる他のセル識別子の競合が発生するかもしれない。いくつかの実装において、非ライセンス周波数のセルの識別子は、Virtual Cell IDであってもよい。Virtual Cell IDは、例えば当該非ライセンス周波数のセルにて参照信号（Reference Signal）の送信などに使用されるスクランブリング・コード識別子（e.g. Scrambling Identity、又は Scrambling Code ID）であってもよい。また、いくつかの実装において、非ライセンス周波数のセルの識別子は、非ライセンス周波数のセルに対して新たにセル番号又はセルインデックスを付与して定義されたPCIとは異なる識別子であってもよい。これらの識別子は、PCIに代えて又は組合せて使用されてもよい。
【００９８】
上述の実施形態では、LAAのケースについて説明した。すなわち、これらの実施形態では、無線基地局（LTE-U eNB）１及び無線端末（UE）３がライセンス周波数のセルをプライマリセル（PCell）として使用すると共に、非ライセンス周波数のセルをセカンダリセル（SCell）として使用するキャリアグリゲーション（CA）について主に説明した。しかしながら、これらの実施形態では、無線基地局（LTE-U eNB）１は、ある共用周波数（例えばF3）をPCellとして使用し、狭義の非ライセンス周波数（例えばF2）又は他の共用周波数（例えばF４）をセカンダリセル（SCell）として使用するキャリアグリゲーション（CA）を行ってもよい。ここで、狭義の非ライセンス周波数は、いずれのオペレータにも割り当てられていない周波数（つまり、ライセンス周波数ではなく且つ共用周波数でもない周波数）を意味する。
【００９９】
さらに、PCIの競合（conflict）は、複数のLTEオペレータが非ライセンス周波数（またはライセンス共用周波数）をLAA又はLSAのために使用する状況だけでなく様々な状況で発生し得る。PCIの競合（conflict）、つまりPCI collision又はPCI confusionは、非ライセンス周波数、ライセンス共用周波数、及びライセンス周波数のいずれを使用する場合にも発生する可能性があり、複数オペレータ間及び１つのオペレータ内のいずれでも発生する可能性がある。上述の実施形態で説明された、CRS based 及びCSI-RS based受信信号品質に基づいてPCI競合を判定する技術は、PCIの競合が発生する様々なケースに適用することができる。
【０１００】
上述の実施形態では、主にLTEシステムに関して説明を行った。しかしながら、既に述べたように、これらの実施形態は、LTEシステム以外の無線通信システム、例えば、3GPP UMTS、3GPP2 CDMA2000システム（1xRTT, HRPD）、GSM/GPRSシステム、又はWiMAXシステム等に適用されてもよい。尚、非ライセンス周波数におけるLTEの通信を行う機能を有する無線基地局（eNB）及びRRH/RREを無線基地局（LTE-U eNB）と呼んだ。他のシステムでも同様に、複数の周波数（例えば、ライセンス周波数および非ライセンス周波数）において通信を行うことが可能なネットワーク装置の導入が可能であり、それらを総称して無線局と呼ぶことができる。つまり、当該無線局は、LTEでは上述のように無線基地局（eNB）及びRRH/RREに相当し、UMTSでは基地局（NodeB: NB）及び基地局制御局（RNC）に相当し、更にCDMA2000システムでは基地局（BTS）及び基地局制御局（BSC）に相当する。さらに、特にDual Connectivity (DC)の例では、メイン基地局（LTEではMeNB）及びサブ基地局（LTEではSeNB）を含む基地局システムを無線局と呼ぶことができる。メイン基地局及びサブ基地局の各々は、無線通信ノードと呼ぶことができる。
【０１０１】
LTE以外の無線通信システムでは、PCIとは異なる他のセル識別子が使用され（例えば、3GPP UMTSで使用されるPSC）、PCIの競合（conflict）と同様にこれらのセル識別子の競合も発生し得る。上述の実施形態で説明された、CRS based 及びCSI-RS based受信信号品質に基づいてPCI競合を判定する技術は、PSC等の他のセル識別子の競合が発生する様々なケースに適用することができる。
【０１０２】
また、上述の実施形態において、サービングセル（例えば、図２のCell #1）と、互いに同一のセル識別子及び同一の周波数を使用するよう設定された複数のセル（例えば、図２のCell #2及びCell #3）は、互いに異なるRadio Access Technology (RAT)を使用してもよい。例えば、サービングセルはLTE（E-UTRAN）のセルであってもよく、サービングセルとは異なる複数のセルはUMTS（UTRAN）のセルであってもよい。
【０１０３】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【符号の説明】
【０１０４】
１  無線基地局
３  無線端末
１００１、３００１、  無線トランシーバ
１００２  ネットワークインターフェース
１００３、３００２  プロセッサ
１００４、３００３  メモリ
【図１Ａ】
2016103691.tif 000005
【図１Ｂ】
2016103691.tif 000006
【図２】
2016103691.tif 000007
【図３】
2016103691.tif 000008
【図４】
2016103691.tif 000009
【図５】
2016103691.tif 000010
【図６】
2016103691.tif 000011
【図７】
2016103691.tif 000012
【図８】
2016103691.tif 000013
【図９】
2016103691.tif 000014
【図１０】
2016103691.tif 000015
【図１１】
2016103691.tif 000016
【図１２】
2016103691.tif 000017
【図１３】
2016103691.tif 000018
【図１４】
2016103691.tif 000019
【図１５】
2016103691.tif 000020